(57)【要約】【課題】送風機による風量が一定以上確保され、且つ浴室側で聞こえる送風機の運転音が低減される空調装置を提供する。【解決手段】空調装置１は、熱交換器１１を備える筐体２，３と、浴室内の空気を筐体２，３内に取り込む送風機１２（５２）と、筐体２，３に開口して設けられて送風機１２（５２）による浴室内の空気が流れる開口部３２（２３）とを備える。開口部３２（２３）の正面から見て、送風機１２（５２）による空気の風量が一定以上に保たれる範囲で送風機１２（５２）が隠れるように筐体２，３内に遮音手段６２（６０）が配置されている。【選択図】図１
2019032112.tif 000002
【特許請求の範囲】
【請求項１】
熱交換器を備える筐体と、浴室内の空気を筐体内に取り込む送風機と、筐体に開口して設けられて送風機による浴室内の空気が流れる開口部とを備え、
開口部の正面から見て、送風機による空気の風量が一定以上に保たれる範囲で送風機が隠れるように筐体内に遮音手段が配置されている空調装置。
【請求項２】
請求項１に記載の空調装置において、
筐体は、熱交換器を配設する本体ケースと、吸込口及び吹出口を有し浴室に露出されるフロントパネルとにより構成され、
送風機は、本体ケース内に収納され、浴室内の空気を吸込口から本体ケース内に取り込み熱交換器で加熱されて吹出口から浴室内に吹き出させる循環ファンにより構成され、
開口部は、フロントパネルの吹出口により構成され、
本体ケースには、循環ファンを取り囲むスクロールと、スクロールと対向し循環ファンの外周付近から吹出口側に延びるスタビライザーとを有し、
遮音手段は、循環ファンの運転音が吹出口から漏出することを抑制するように配置したスタビライザーにより構成され、
スタビライザーは、吹出口の正面から見て、循環ファンによる循環空気の風量が一定以上に保たれる範囲で循環ファンが隠れる位置に配置されている空調装置。
【請求項３】
請求項２に記載の空調装置において、
吹出口の正面から見て、循環ファンの端面からスタビライザーの端面までの距離が０〜３ｍｍの範囲内で循環ファンがスタビライザーにより隠れるように設定されている空調装置。
【請求項４】
請求項１に記載の空調装置において、
筐体は、熱交換器を配設する本体ケースと、吸込口及び吹出口を有し浴室に露出されるフロントパネルとにより構成され、
本体ケース内には、浴室内の空気を循環させる循環ファンと、循環ファンを内部に配設するファン収納室部とを有し、
本体ケースの一の側壁には換気口が開口して設けられ、換気口には換気ユニットが本体ケースの外側に接続され、
開口部は、換気口により構成され、
送風機は、換気ユニットに備えられ、浴室内の空気を吸込口から本体ケース内に取り込み換気口から外部に排出させる換気ファンにより構成され、
遮音手段は、換気ファンの運転音が換気口を通過してフロントパネルから漏出することを抑制するように配置したファン収納室部により構成され、
ファン収納室部は、換気口を設けた本体ケースの一の側壁に隣接する他の側壁とファン収納室部との間における本体ケース底側に換気空気の風路を形成させる風路空間を設けるように設置され、且つ換気口の正面から見て、換気ファンによる換気空気の風量が一定以上に保たれる範囲でファン収納室部の壁面が換気口正面に立ちはだかって換気ファンが隠れるように配置されている空調装置。
【発明の詳細な説明】
【技術分野】
【０００１】
本発明は、浴室に設置される空調装置に関する。
【背景技術】
【０００２】
空調装置は、熱交換器及び循環ファンを収納する本体ケースと、吸込口及び吹出口を有し浴室に露出するフロントパネルとを備えている。本体ケース内においては、循環ファンを取り囲む形態で形成されるスクロールと、循環ファンにおける空気の吸入側と吐出側とを区画するスタビライザーとが設けられ、スクロール及びスタビライザーにより浴室内の空気を循環させる循環空気の風路が形成されている。従来、装置をスリム化した際に循環ファンとその周辺部材（スクロール及びスタビライザー）との関係から空気の流動が変化することによって発生する騒音の増加を抑えるために、循環ファンとスクロール及びスタビライザーとの最短距離を循環ファン直径の５〜８％とし、スタビライザーに近い側の循環ファンの外周から下向きかつ垂直に延長した延長線とスタビライザーとの間の距離を循環ファン直径の１０〜１５％とする等の設計とした構造の天井型空気調和機が知られている（特許文献１の段落００２９、段落００３３、段落００４１等）。
【０００３】
また、図６に示すように、空調装置１０１は、本体ケース１０２の側壁に換気口１２３を設け、この換気口１２３に換気ファン１５２を備える換気ユニット１０５が接続され、図６中に太矢印で示すように、換気ファン１５２により浴室内の空気をフロントパネル１０３の吸込口１３１から取り込んで本体ケース１０２内を通して換気口１２３から流出させて換気ユニット１０５を通じて屋外に排出させる。この場合、本体ケース１０２内において本体ケース１０２の底板１２４と循環ファン１１２のファン収納室部１０６の底板１６１との間に通気用の間隙１１５を設け、この通気用間隙１１５により換気空気が流れる風路を形成することで通風抵抗を低くし十分な換気風量が得られるようにしている（特許文献２）。
【先行技術文献】
【特許文献】
【０００４】
【特許文献１】特開２００８−１２２０５６号公報
【特許文献２】特開２００５−９０８２７号公報
【発明の概要】
【発明が解決しようとする課題】
【０００５】
前者の従来例（特許文献１）では、装置をスリム化する際に循環ファンとその周辺部材との関係から発生する騒音を抑制できるとしても、発生した循環ファンの運転音が吹出口側に漏れ出すことに対して配慮されたものではなかった。そのため、浴室側で聞こえる循環ファンの運転音の低減効果としては不十分であった。
【０００６】
後者の従来例（特許文献２）では、換気空気の通風抵抗は改善されるが、換気口１２３から漏れ出す換気ファン１５２の運転音がそのまま換気空気の風路となる通気用間隙１１５を抜けてフロントパネル１０３から浴室側へ伝わりやすい構造であった。そのため、浴室側では換気ファン１５２の運転音が大きく聞こえてしまうといった問題があった。
【０００７】
一方、循環空気や換気空気の風路の経路を変更することにより循環ファンや換気ファン等の送風機の運転音が外部に伝わりにくくすることが考えられるが、単純に風路を変更すると通風抵抗が増して風量が低下するおそれがある。送風機による風量は、暖房性能、換気性能等の性能面から一定以上の風量を確保することが要求される。
【０００８】
本発明は、以上の事情に鑑みてなされたものであり、送風機による風量が一定以上確保され、且つ浴室側で聞こえる送風機の運転音が低減される空調装置を提供することを目的とする。
【課題を解決するための手段】
【０００９】
本発明に係る空調装置は、
熱交換器を備える筐体と、浴室内の空気を筐体内に取り込む送風機と、筐体に開口して設けられて送風機による浴室内の空気が流れる開口部とを備え、
開口部の正面から見て、送風機による空気の風量が一定以上に保たれる範囲で送風機が隠れるように筐体内に遮音手段が配置されているものである。
【００１０】
これにより、送風機から開口部へ向かう送風機の運転音を遮音手段によって遮り開口部へ届き難くすることができ、それでいて、送風機による風量を低下させることなく一定以上に確保することができる。
【００１１】
上記空調装置の一の形態として、
筐体は、熱交換器を配設する本体ケースと、吸込口及び吹出口を有し浴室に露出されるフロントパネルとにより構成され、
送風機は、本体ケース内に収納され、浴室内の空気を吸込口から本体ケース内に取り込み熱交換器で加熱されて吹出口から浴室内に吹き出させる循環ファンにより構成され、
開口部は、フロントパネルの吹出口により構成され、
本体ケースには、循環ファンを取り囲むスクロールと、スクロールと対向し循環ファンの外周付近から吹出口側に延びるスタビライザーとを有し、
遮音手段は、循環ファンの運転音が吹出口から漏出することを抑制するように配置したスタビライザーにより構成され、
スタビライザーは、吹出口の正面から見て、循環ファンによる循環空気の風量が一定以上に保たれる範囲で循環ファンが隠れる位置に配置されているものとすることができる。
【００１２】
この形態では、スタビライザーによって循環ファンから吹出口へ向かう循環ファンの運転音を遮り吹出口へ届き難くすることができる。従って、循環ファンの運転音が吹出口から浴室内へ漏出することを抑制でき、浴室側で聞こえる循環ファンの運転音を低減することができる。また、スタビライザーは、スクロールと対向し吹出口側に延びるように形成されているものであるから、循環ファンによる循環空気の風量を低下させることなく一定以上に確保することができる。
【００１３】
上記形態の空調装置において、
吹出口の正面から見て、循環ファンの端面からスタビライザーの端面までの距離が０〜３ｍｍの範囲内で循環ファンがスタビライザーにより隠れるように設定されることが好ましい。
【００１４】
これにより、循環ファンによる循環空気の風量を一定に確保しつつ、浴室で検出される循環ファンの運転音を大幅に減少することができる。すなわち、循環ファンの端面からスタビライザーの端面までの距離が０ｍｍ未満となれば、吹出口の正面から見て循環ファンの端面がスタビライザーの端面から突出した状態となり、循環ファンの運転音が吹出口まで直接届きやすくなり浴室側で循環ファンの運転音が大きく聞こえてしまうので好ましくない。循環ファンの端面からスタビライザーの端面までの距離が３ｍｍを超えれば、吹出口の正面から見て循環ファンがスタビライザーから大きく後退した状態となり、スタビライザーによって循環ファンにおける循環空気の吐出側の通風抵抗を増加させて循環空気の風量が減少してしまい、これを補うために循環空気の風量を一定に保つように循環ファンの回転数を上げると循環ファンの運転音が大きくなるので好ましくない。
【００１５】
また、上記空調装置の他の形態として、
筐体は、熱交換器を配設する本体ケースと、吸込口及び吹出口を有し浴室に露出されるフロントパネルとにより構成され、
本体ケース内には、浴室内の空気を循環させる循環ファンと、循環ファンを内部に配設するファン収納室部とを有し、
本体ケースの一の側壁には換気口が開口して設けられ、換気口には換気ユニットが本体ケースの外側に接続され、
開口部は、換気口により構成され、
送風機は、換気ユニットに備えられ、浴室内の空気を吸込口から本体ケース内に取り込み換気口から外部に排出させる換気ファンにより構成され、
遮音手段は、換気ファンの運転音が換気口を通過してフロントパネルから漏出することを抑制するように配置したファン収納室部により構成され、
ファン収納室部は、換気口を設けた本体ケースの一の側壁に隣接する他の側壁とファン収納室部との間における本体ケース底側に換気空気の風路を形成させる風路空間を設けるように設置され、且つ換気口の正面から見て、換気ファンによる換気空気の風量が一定以上に保たれる範囲でファン収納室部の壁面が換気口正面に立ちはだかって換気ファンが隠れるように配置されているものとすることができる。
【００１６】
この形態では、換気ファンによって、浴室内の空気がフロントパネルの吸込口から本体ケース内に取り込まれると、本体ケース内の換気口正面からずれた位置に設けた風路空間を通り抜けて換気口に至る風路に沿って円滑に流れる。従って、換気ファンによる換気空気の風量を一定以上に確保することができる。そして、換気口の正面に立ちはだかるファン収納室部の壁面によって換気口から本体ケース内に漏れ出る換気ファンの運転音を遮りフロントパネルの吸込口へ届き難くすることができる。従って、換気ファンの運転音がフロントパネルから浴室内へ漏出することを抑制でき、浴室側で聞こえる換気ファンの運転音を低減することができる。
【発明の効果】
【００１７】
以上のように、本発明に係る空調装置によれば、送風機による風量が一定以上確保されるとともに、送風機の運転音が開口部から漏出することを抑制して浴室側で聞こえる送風機の運転音を低減することができる。
【図面の簡単な説明】
【００１８】
【図１】実施形態の空調装置の主な構成を示す断面図である。
【図２】実施形態の空調装置において、浴室側での循環ファンの運転音の測定結果を示すグラフである。
【図３】実施形態の空調装置において、換気空気の風路を示すため本体ケース底を切り欠いて上から見た断面図である。
【図４】実施形態の空調装置において、主にファン収納室部の左側壁と本体ケースの左側壁との間に形成される換気空気の風路を示す断面図である（図４中の細かい点線は主に本体ケース内に配設されるファン収納室部及び熱交換器を示す。）。
【図５】実施形態の空調装置において、換気ユニットを取り外した状態で換気口から本体ケース内を臨む側面図である（図５中の一点鎖線は、取り外した換気ファンの位置を示す。）。
【図６】従来の空調装置の主な構成を示す断面図である。
【発明を実施するための形態】
【００１９】
以下に、本発明の実施形態について図面を参照しながら説明する。
図１に示すように、実施形態の空調装置１は、熱交換器１１及び循環ファン１２が収納されている略矩形箱状の本体ケース２と、吸込口３１及び吹出口３２が設けられて本体ケース２の下面開放部２１を覆うフロントパネル３とを備えている。本体ケース２とフロントパネル３とが空調装置１の筐体を構成する。
【００２０】
本体ケース２は、浴室の天井パネル４に設けられた取付口４１に配置されるように天井裏空間に配設され、フロントパネル３は、浴室側から天井パネル４の取付口４１に配設されて浴室に露出されている。なお、空調装置１の位置関係として、天井パネル４ないしフロントパネル３に対して本体ケース２の設置側を「上」、フロントパネル３の設置側を「下」とし、また、フロントパネル３における吹出口３２と吸込口３１との横並び方向において吹出口３２側を「前」、吸込口３１側を「後」とし、この前後の方向と水平に直交する方向を左右の方向とする。
【００２１】
循環ファン１２は、浴室内の空気をフロントパネル３の吸込口３１から本体ケース２内に取り込み熱交換器１１で加熱されてフロントパネル３の吹出口３２から浴室内に吹き出させる空気循環用の送風機を構成する。
【００２２】
また、本体ケース２の前側壁２２には、換気口２３が貫通して設けられ、換気口２３には換気ユニット５が本体ケース２の外側に接続されている。換気ユニット５は、本体ケース２に接続される換気ボックス５１と、換気ボックス５１内に収納する換気ファン５２と、排気ダクト５３とを備えている。換気ファン５２は、浴室内の空気を吸込口３１から本体ケース２内に取り込み本体ケース２内を通って換気口２３から換気ボックス５１内に流出させて排気ダクト５３を通じて屋外に排出させる換気用の送風機を構成する。
【００２３】
熱交換器１１は、循環ファン１２に対して吸込口３１側に配設されている。熱交換器１１は、吸込口３１の開口面と対面させた横置きの熱交換部分１１ａと、吸込口３１の開口面に対して立設させた縦置きの熱交換部分１１ｂとを有し、全体として略Ｌ字状に配設されている。熱交換器１１は、図示しない給湯装置から供給される温水を循環させて浴室内の空気を熱交換間加熱するものであるが、これに限らずヒータ等の他の加熱手段であってもよい。
【００２４】
本体ケース２内には、循環ファン１２を取り囲む形態で形成されるスクロール６１と、スクロール６１と対向し循環ファン１２の外周付近からフロントパネル３の吹出口３２側に延びる形態で形成されるスタビライザー６２とを有している。スクロール６１及びスタビライザー６２は、循環ファン１２を内部に配設するファン収納室部６を構成し、循環ファン１２による循環空気が流される風路を形成する。スクロール６１とスタビライザー６２との間の出口付近には、ファン収納室部６から吹出す空気の風向きを設定するルーバー３３が設けられている。
【００２５】
スクロール６１は、循環ファン１２の外周と最も接近した屈曲部６１ａから後方に延設されて熱交換器１１の一端を支持する後部６１ｂと、屈曲部６１ａから前側に延設されて循環ファン１２の外形に沿ってなだらかに湾曲する曲面状に形成されて吹出口３２の一端側に延びる前部６１ｃとを有し、循環ファン１２から吐出される空気を吹出口３２に円滑に送り込むように形成されている。
【００２６】
スタビライザー６２は、断面略逆Ｕ字型に形成され、略Ｕ字の湾曲部６２ａが循環ファン１２の外周と最も接近して配置されて循環ファン１２における空気の吸入側と吐出側とを区画する。スタビライザー６２における湾曲部６２ａから延設される後側の後壁部６２ｂは、循環ファン１２の外周付近から吸込口３１側に延びて熱交換器１１の他端を支持するように形成されている。スタビライザー６２における湾曲部６２ａから延設される前側の前壁部６２ｃは、スクロール６１の前部６１ｃと対向し、循環ファン１２の外周付近から吹出口３２の他端側に延びて、スクロール６１の前部６１ｃとともに循環ファン１２から吐出される空気を吹出口３２に円滑に送り込むように形成されている。
【００２７】
次に、上述した空調装置１において、循環ファン１２、換気ファン５２のそれぞれの運転音を低減する構成について説明する。
まず、循環ファン１２の運転音を低減する構成としては、スタビライザー６２を遮音手段として用いる。すなわち、スタビライザー６２の前壁部６２ｃは、吹出口３２の正面から見て（浴室から吹出口３２を真上に見上げる。）、循環ファン１２による循環風量が一定以上に保たれる範囲で、循環ファン１２の全体が隠れる位置に配置されている。
【００２８】
これにより、循環ファン１２から直接に吹出口３２へ向かう循環ファン１２の運転音をスタビライザー６２によって遮り吹出口３２へ届き難くすることができる。従って、循環ファン１２の運転音が吹出口３２から浴室内へ漏出することを抑制でき、浴室側で聞こえる循環ファン１２の運転音を低減することができる。このように、スタビライザー６２は、吹出口３２へ直接向かう循環ファン１２の運転音を遮って吹出口３２から浴室内へ漏出することを抑制する遮音手段となる。また、スタビライザー６２の前壁部６２ｃは、スクロール６１の前部６１ｃと対向し吹出口３２に向けて延びるように形成されているものであるから、循環ファン１２による循環空気の風量を低下させることなく一定以上に確保することができる。
【００２９】
スタビライザー６２と循環ファン１２との具体的な位置関係について、吹出口３２の正面から見て、循環ファン１２の端面１２Ａ（循環ファン１２の外周端面）からスタビライザー６２の端面６２Ａ（スタビライザー６２の前壁部６２ｃの前面）までの距離ｄが０〜３ｍｍ、好ましくは１〜３ｍｍの範囲内で循環ファン１２がスタビライザー６２により隠れるように設定されている。
【００３０】
これにより、循環ファン１２による循環空気の風量を一定に確保しつつ、浴室で検出される循環ファン１２の運転音を大幅に減少することができる。すなわち、循環ファン１２の端面１２Ａからスタビライザー６２の端面６２Ａまでの距離ｄが０ｍｍ未満となれば、吹出口３２の正面から見て循環ファン１２の端面１２Ａがスタビライザー６２の端面６２Ａから突出した状態となり、循環ファン１２の運転音が吹出口３２まで直接届きやすくなり浴室側で循環ファン１２の運転音が大きく聞こえてしまうので好ましくない。一方、循環ファン１２の端面１２Ａからスタビライザー６２の端面６２Ａまでの距離ｄが３ｍｍを超えれば、吹出口３２の正面から見て循環ファン１２がスタビライザー６２から大きく後退した状態となり、スタビライザー６２によって循環ファン１２における循環空気の吐出側の通風抵抗を増加させて循環空気の風量が減少してしまい、これを補うために循環空気の風量を一定に保つように循環ファン１２の回転数を上げると循環ファン１２の運転音が大きくなるので好ましくない。
【００３１】
以上の効果の確認のため、図１に示した実施形態の空調装置１について、以下の騒音試験を行った。
循環ファン１２の端面１２Ａからスタビライザー６２の端面６２Ａまでの距離ｄを−６ｍｍ〜＋６ｍｍの範囲の各設定位置において、循環ファン１２による吹出口３２での吹出し風量（循環風量）を一定に保った状態にして、浴室側での循環ファン１２の運転音を測定した。
【００３２】
ここで、上記距離ｄがマイナスの場合、吹出口３２の正面から見て、循環ファン１２の端面１２Ａがスタビライザー６２の端面６２Ａより突出して見える状態となる。
上記距離ｄの各設定位置にて循環ファン１２の循環風量を一定に保つために循環ファン１２の回転数を調整した。
上記の循環ファン１２とスタビライザー６２との間の距離ｄの設定は、スタビライザー６２の前壁部６２ｃの厚みを変えることにより行った。従って、吹出口３２の前後幅寸法（スクロール６１の前部６１ｃ下端の内側面からスタビライザー６２の前壁部６２ｃの前面までの間隔）は、スタビライザー６２の設定位置によって変化する。具体的に、吹出口３２の前後幅寸法は、スタビライザー６２の端面６２Ａが循環ファン１２の端面１２Ａと一致した位置（上記距離ｄが０ｍｍの位置）で６４ｍｍに設定した。つまり、吹出口３２の前後幅寸法は、循環ファン１２の端面１２Ａからスタビライザー６２の端面６２Ａまでの距離ｄが−６ｍｍの設定では７０ｍｍとなり、上記距離ｄが＋６ｍｍの設定では５８ｍｍとなる。
循環ファン１２の運転音の測定位置は、空調装置１のフロントパネル３から下に１ｍ、空調装置１の本体ケース２の前側壁２２から前に１ｍ離れた位置で測定した。
循環ファン１２の運転音の測定結果を、図２のグラフに示した。
【００３３】
以上の測定結果より、浴室側で聞こえる循環ファン１２の運転音の大きさは、循環風量を一定に保った状態で、循環ファン１２の端面１２Ａからスタビライザー６２の端面６２Ａまでの距離ｄが−６ｍｍの設定のときに比べて、この距離ｄが０〜３ｍｍの範囲で低下し、なかでも１〜３ｍｍの範囲で大幅に低下したことが確認された。例えば、上記距離ｄが１ｍｍのときは、上記距離ｄが−６ｍｍのときと同じ循環ファン１２の回転数でもって循環風量を同じ風量に確保することができ、しかも上記距離ｄが−６ｍｍのときと比べて循環ファン１２の運転音を低減できた。また、上記距離ｄが３ｍｍのときは、上記距離ｄが−６ｍｍのときと同じ循環風量を確保するため循環ファン１２の回転数を上げても、上記距離ｄが−６ｍｍのときと比べて循環ファン１２の運転音を低減できた。
【００３４】
以上より、吹出口３２の正面から見て、循環ファン１２による循環風量を一定に保った状態で、循環ファン１２の端面１２Ａからスタビライザー６２の端面６２Ａまでの距離ｄが０〜３ｍｍの範囲内で循環ファン１２がスタビライザー６２により隠れるように設定されると、浴室側で聞こえる循環ファン１２の運転音が低減されることが実証された。
【００３５】
次に、換気ファン５２の運転音を低減する構成について、換気空気の風路を形成する構造とともに説明する。
従来の空調装置１０１では、図６に示すように、本体ケース２の底板１２４とファン収納室部１０６の底板１６１との間に換気空気が流れる通気用間隙１１５を設けていたが、本実施形態の空調装置１では、本体ケース２は、ファン収納室部６の外郭となるスクロール６１が本体ケース２の底部をも構成し、本体ケース２の前側壁２２に繋がる板部２４を延設する形状となっている（図１参照）。すなわち、本体ケース２の底板とファン収納室部６の底板との間に二重底のような間隙を有するような構成ではない。
【００３６】
本実施形態の空調装置１では、図３〜図５に示すように、本体ケース２における換気口２３を設けた前側壁２２に隣接する左側壁２５と、ファン収納室部６の左側壁６３との間に隙間１３が設けられている。この隙間１３には本体ケース２の下面開放部２１寄りに制御基板を収納する基板ケース１４が配設されている。従って、上記隙間１３において、本体ケース２の底側、すなわち、基板ケース１４と本体ケース２の左側壁２５に繋がる底面２４ａとの間に換気空気が通り抜けできる風路となる風路空間１５が形成される。この風路空間１５によって換気空気の通風抵抗の増加が抑制される。なお、この風路空間１５は、本体ケース２の左側壁２５とファン収納室部６の左側壁６３との間ではなく、本体ケース２の右側壁２６とファン収納室部６の右側壁６４との間に設けるようにしてもよい。
【００３７】
上記構成より、換気ファン５２によって浴室内の空気がフロントパネル３の吸込口３１から本体ケース２内に取り込まれると、この換気空気は、図３〜図５に太矢印で示すように、熱交換器１１の縦置き熱交換部分１１ｂと本体ケース２の後側壁２７との間の隙間２８を通り、続いて、本体ケース２の左側壁２５とファン収納室部６の左側壁６３との間におけるケース底側の風路空間１５を通り抜け、そして、本体ケース２の前側壁２２に設けた換気口２３から本体ケース２の外面に接続する換気ボックス５１内に流出される。このように、換気空気は、本体ケース２内において換気口２３正面からずれた位置に設けた風路空間１５を通ってクランク状に流れ、十分広い風路空間１５を通り抜けて換気口２３に至る風路に沿って円滑に流れる。従って、通風抵抗が増すこともなく、換気ファン５２による換気空気の風量を一定以上に確保することができる。
【００３８】
なお、換気口２３は、本体ケース２の前側壁２２において左側にあって本体ケース２の底側寄りに設けられ、換気空気の通風抵抗が大きくならないように本体ケース２の前側壁２２において風路空間１５に接近する側に配置されているが（図５参照）、換気空気の通風抵抗が大きくならない限り、本体ケース２の前側壁２２の任意の位置に設けることができる。
【００３９】
そして、換気ファン５２の運転音を低減する構成としては、循環ファン１２のファン収納室部６を遮音手段として用いる。すなわち、換気口２３の正面から見て、換気ファン５２による換気空気の風量が一定以上に保たれる範囲でファン収納室部６の外郭部分であるスクロール６１の壁面６０が換気口２３正面に立ちはだかって換気ファン５２が隠れるように配置されている（図３では換気ファン５２の位置から延ばした点線で示すように、上から見て換気ファン５２の前にスクロール壁面６０が対向している状態を示している。図５では換気ユニット５を取り外して換気口５２側から本体ケース２内を見ると、一点鎖線で示す換気ファン５２の位置に対してスクロール壁面６０が対向して、換気ファン５２が隠れる状態を示している。）。また、換気空気の風路空間１５は、上述のとおり、本体ケース２内において換気口２３正面から横にずれた位置に設けられている。
【００４０】
上記構成より、換気口２３から本体ケース２内に漏れ出る換気ファン５２の運転音を換気口２３の正面に立ちはだかるスクロール６１の壁面６０によって遮ることができ、風路空間１５側に漏れ出ることもなく、フロントパネル３の吸込口３１へ届き難くすることができる。また、換気空気は、上述のとおり、本体ケース２の左側壁２５とファン収納室部６の左側壁６３との間に形成する風路空間１５を通り抜けることができ、換気ファン５２による換気空気の風量を低下させることがなく一定以上に確保される。従って、換気空気の風量を一定以上に確保しつつ、換気ファン５２の運転音がフロントパネル３から浴室内へ漏出することを抑制でき、浴室側で聞こえる換気ファン５２の運転音を低減することができる。
【００４１】
以上の効果の確認のため、図１に示した実施形態の空調装置１について、浴室側での換気ファン５２の運転音を測定した。対比として、図６に示した従来の空調装置１０１についても換気ファン１５２の運転音を測定した。換気ファン５２の運転音の測定位置は、循環ファン１２のときと同様に、空調装置１のフロントパネル３から下に１ｍ、空調装置１の本体ケース２の前壁面から前に１ｍ離れた位置で測定した。
その結果、図１の実施形態の空調装置１では、換気風量を６０ｍ３／ｈに保った状態で、図６に示した従来の空調装置１０１と比べると、約５ｄＢの騒音の低減が確認された。この場合、図１の空調装置１において、換気風量を６０ｍ３／ｈとするために、換気ファン５２の回転数を、図６に示した従来の空調装置１０１よりも約１００ｒ／ｍｉｎ上げたが、浴室側で聞こえる換気ファン５２の運転音は、図６の従来の空調装置１０１よりも低減できた。
以上より、本実施形態の空調装置１によれば、換気風量を従来と同じ風量に保ちながらも、浴室側で聞こえる換気ファン５２の運転音が低減されることが実証された。
【００４２】
なお、本発明は、上記実施形態に限定されず、特許請求の範囲の記載及び均等の範囲内で様々な変更を施すことが可能である。
【符号の説明】
【００４３】
１  空調装置
２  本体ケース
３  フロントパネル
５  換気ユニット
６  ファン収納室部
１１  熱交換器
１１ａ  横置きの熱交換部分
１１ｂ  縦置きの熱交換部分
１２  循環ファン
１２Ａ  循環ファンの端面
１３  隙間
１４  基板ケース
１５  風路空間
２２  本体ケースの前側壁
２３  換気口
２５  本体ケースの左側壁
３１  吸込口
３２  吹出口
５２  換気ファン
６０  スクロールの壁面
６１  スクロール
６２  スタビライザー
６２Ａ  スタビライザーの端面
６３  ファン収納室部の左側壁
ｄ  距離
【図１】
2019032112.tif 000003
【図２】
2019032112.tif 000004
【図３】
2019032112.tif 000005
【図４】
2019032112.tif 000006
【図５】
2019032112.tif 000007
【図６】
2019032112.tif 000008